(57)【要約】【課題】固定金具の一部を構成する回動部材を固定位置及び収納位置に自動的にロックできる安全手摺を提供する。【解決手段】枠組足場に取り付ける安全手摺であって、両建枠４，４の脚柱１，１間に配置される手摺本体７と、手摺本体７の縦枠１１の中間部に設けられた位置決め用フック１０と、手摺本体７を建枠４の脚柱１の上部側に固定する下部固定金具８と、手摺本体７を上段側建枠４の脚柱１の下部側に固定する上部固定金具９とからなる安全手摺において、各固定金具８，９は、手摺本体７の縦枠１１に設けた取付部材１６と、脚柱係合部１７が脚柱１に係合する固定位置と脚柱係合部１７が脚柱１から離脱して折り畳み収納される収納位置との間で回動可能に取付部材１６に枢着された回動部材１８と、回動部材１８を固定位置及び収納位置にロックするロック手段とからなる。【選択図】図２
2006045910.tif 000002
【特許請求の範囲】
【請求項１】
両側一対の脚柱と両脚柱の上端部をつなぐ横架材とからなる建枠を対向させて両建枠の横架材間に足場板を架け渡しながら多段状に組み立てられる枠組足場に取り付ける安全手摺であって、左右縦枠、上下横枠及び中桟によって形成され、両建枠の対向する脚柱間に配置される手摺本体と、手摺本体の各縦枠の中間部に設けられ、建枠の横架材に掛止される位置決め用のフックと、各縦枠の下端部に設けられ、手摺本体を建枠の脚柱の上部側に固定する下部固定金具と、各縦枠の上端部に設けられ、手摺本体を上段側建枠の脚柱の下部側に固定する上部固定金具とからなる安全手摺において、
上下各固定金具は、手摺本体の縦枠に固着された取付部材と、建枠の脚柱に係脱自在に係合する脚柱係合部を一端部に有し、脚柱係合部が脚柱に係合する固定位置と脚柱係合部が脚柱から離脱して手摺本体の縦枠に沿うように折り畳み収納される収納位置との間で回動可能に取付部材に枢着された回動部材と、回動部材を固定位置及び収納位置にロックするロック手段とからなり、ロック手段は、取付部材と回動部材との互いの摺接面部の一方側に係合突片をバネによって他方の摺接面部側に弾接するように設けると共に、他方の摺接面部側に、回動部材が回動して固定位置及び収納位置に来た時係合突片が係脱自在に係合して回動部材を固定位置及び収納位置に夫々ロックするロック孔を設けたものからなることを特徴とする安全手摺。
【請求項２】
回動部材の他端部、即ち脚柱係合部と反対側の端部には、固定位置において手摺本体の縦枠に係合し、収納位置において手摺本体の縦枠から離脱する縦枠係合部を設けてなることを特徴とする請求項１に記載の安全手摺。
【請求項３】
取付部材は両側板とこれらをつなぐ連結板とからなり、回動部材は、両側板と背板とからなるコ形本体の両側板の一端部側に脚柱係合部を形成してなるもので、コ形本体の両側板を取付部材の両側板に摺接可能に外接させた状態で枢軸によって枢着してなることを特徴とする請求項１に記載の安全手摺。
【請求項４】
コ形本体の背板の、脚柱係合部と反対側の端部に、手摺本体の縦枠に係合する円弧状凹部からなる縦枠係合部を形成してなることを特徴とする請求項３に記載の安全手摺。
【請求項５】
ロック手段は、基板部の両端部から両側板を末広がり状に延出して台形枠状の板バネを形成すると共に、両側板の夫々外側面先端側に係合突片を突設し、この板バネの両側板を圧縮させた状態で取付部材の両側板間に介在させて、両係合突片を取付部材の両側板の貫通孔に貫通させると共に、両係合突片の先端テーパ部を回動部材のコ形本体の両側板に設けたロック孔に係合させ、板バネの両側板の夫々基端部側を枢軸に挿通支持させてなることを特徴とする請求項３又は４に記載の安全手摺。
【請求項６】
ロック手段は第１バネと第２バネとからなるバネを有し、第１バネは基板部の両端部から両側板を末広がり状に延出した台形枠状の幅広板バネからなり、第２バネは、基板部の両端部から両側板を末広がり状に延出した台形枠状の幅狭板バネからなるもので、両側板の夫々先端側に外側方へ突出する係合突片を一体形成し、第１バネに第２バネを、第２バネの両側板が第１バネの両側板を横方向から挟み付けるように嵌合した状態で、両バネを取付部材の両側板間に配置して、第２バネの両係合突片を取付部材１６の両側板の貫通孔に貫通させると共に、両係合突片の先端部を回動部材のコ形本体の両側板に設けたロック孔に係合させ、それにより第１バネ及び第２バネを夫々両側板が平行になるように圧縮させた状態で第１バネの両側板の夫々先端部を枢軸に挿通支持させてなる請求項３又は４に記載の安全手摺。
【発明の詳細な説明】
【技術分野】
【０００１】
本発明は、建設作業現場で枠組足場を多段状に組み立てる際に、既設の下段側足場板から、新設した上段側足場板の先行仮設手摺として取り付ける安全手摺に関する。
【背景技術】
【０００２】
従来のこの種の安全手摺として、例えば特許文献１に記載されたものがある。この安全手摺は、両側一対の脚柱と両脚柱の上端部をつなぐ横架材とからなる門形の建枠を対向させて両建枠の横架材間に足場板を架け渡しながら多段状に組み立てられる枠組足場に取り付ける安全手摺であって、左右縦枠、上下横枠及び縦横の中桟によって形成され、両建枠の対向する脚柱間に配置される手摺本体と、手摺本体の各縦枠の中間部に設けられ、建枠の横架材に掛止される位置決め用のフックと、手摺本体の各縦枠の下端部に設けられ、手摺本体を建枠の脚柱の上部側に固定する下部固定金具と、同手摺本体を上段側建枠の脚柱の下部側に固定する上部固定金具とからなり、各固定金具は、手摺本体の縦枠に固着された取付部材と、上端部に建枠の脚柱を掴むように嵌合する掴み材を有し、下端側に手摺本体の縦枠に係合する受け材を有する金具本体と、ロック手段とにより構成されるもので、金具本体は、取付部材に対して、掴み材が建枠の脚柱に嵌合し且つ受け材が手摺本体の縦枠に係合する固定位置と、掴み材及び受け材が脚柱及び縦枠から夫々離脱してその縦枠に沿うように折り畳み収納される収納位置との間で揺動可能に取り付けられ、固定位置及び収納位置でロック手段によってロックされるようになっている。
【特許文献１】特開２００３−３４３０７９号公報
【発明の開示】
【発明が解決しようとする課題】
【０００３】
特許文献１に記載された安全手摺では、各固定金具の金具本体は固定位置及び収納位置でロック手段によりロック可能であるから、金具本体を固定位置にロックしておけば、金具本体が振動等によって建枠の脚柱から不測に外れるおそれがなく、また手摺本体の取付けにあたって下部固定金具を収納位置にしておく際には、その収納位置にロックすれば、その金具本体が物の接触等により不測に回動して固定位置となるおそれがなく、手摺本体の取付作業をスムーズに行うことができる。しかしながら、この安全手摺では、金具本体を固定位置や収納位置にロックするのに、金具本体を固定位置や収納位置に回動させた後、この金具本体の回動操作とは別の手動操作でロックピンを着脱操作する必要があって、そのロック作業に手間がかかる、という問題があった。
【０００４】
本発明は、上記の課題に鑑み、固定金具の一部を構成する回動部材を固定位置及び収納位置に回動操作するだけで、この回動部材を固定位置及び収納位置に自動的にロックできて、ロック作業の手間が省け、足場組立作業能率の向上が図られる安全手摺を提供することを目的とする。
【課題を解決するための手段】
【０００５】
上記課題を解決するための手段を、後述する実施形態の参照符号を付して説明すると、請求項１に係る発明は、両側一対の脚柱１，１と両脚柱１，１の上端部をつなぐ横架材２とからなる建枠４を対向させて両建枠４，４の横架材２，２間に足場板６を架け渡しながら多段状に組み立てられる枠組足場に取り付ける安全手摺であって、左右縦枠１１，１１、上下横枠１２，１３及び中桟１４，１５によって形成され、両建枠４，４の対向する脚柱１，１間に配置される手摺本体７と、手摺本体７の各縦枠１１の中間部に設けられ、建枠４の横架材２に掛止される位置決め用のフック１０と、各縦枠１１の下端部に設けられ、手摺本体７を建枠４の脚柱１の上部側に固定する下部固定金具８と、各縦枠１１の上端部に設けられ、手摺本体７を上段側建枠４の脚柱１の下部側に固定する上部固定金具９とからなる安全手摺において、上下各固定金具８，９は、手摺本体７の縦枠１１に固着された取付部材１６と、建枠４の脚柱１に係脱自在に係合する脚柱係合部１７を一端部に有し、脚柱係合部１７が脚柱１に係合する固定位置と脚柱係合部１７が脚柱１から離脱して手摺本体７の縦枠１１に沿うように折り畳み収納される収納位置との間で回動可能に取付部材１６に枢着された回動部材１８と、回動部材１８を固定位置及び収納位置にロックするロック手段１９とからなり、ロック手段１９は、取付部材１６と回動部材１８との互いの摺接面部の一方側に係合突片２１をバネ２０によって他方の摺接面部側に弾接するように設けると共に、他方の摺接面部側に、回動部材１８が回動して固定位置及び収納位置に来た時係合突片２１が係脱自在に係合して回動部材１８を固定位置及び収納位置に夫々ロックするロック孔２２Ａ，２２Ｂを設けたものからなることを特徴とする。
【０００６】
請求項２は、請求項１に記載の安全手摺において、回動部材１８の他端部、即ち脚柱係合部１７と反対側の端部には、固定位置において手摺本体７の縦枠１１に係合し、収納位置において手摺本体７の縦枠１１から離脱する縦枠係合部２５を設けてなることを特徴とする。
【０００７】
請求項３は、請求項１に記載の安全手摺において、取付部材１６は両側板１６ａ，１６ａとこれらをつなぐ連結板１６ｂとからなり、回動部材１８は、両側板１８ａ，１８ａと背板１８ｂとからなるコ形本体１８ｏの両側板１８ａ，１８ａの一端部側に脚柱係合部１７を形成してなるもので、コ形本体１８ｏの両側板１８ａ，１８ａを取付部材１６の両側板１６ａ，１６ａに摺接可能に外接させた状態で枢軸２８によって枢着してなることを特徴とする。
【０００８】
請求項４は、請求項３に記載の安全手摺において、コ形本体１８ｏの背板１８ｂの、脚柱係合部１７と反対側の端部に、手摺本体７の縦枠１１に係合する縦枠係合部２５を形成してなることを特徴とする。
【０００９】
請求項５は、請求項３又は４に記載の安全手摺において、ロック手段１９は、基板部２０ａの両端部から両側板２０ｂ，２０ｂを末広がり状に延出して台形枠状の板バネ２０を形成すると共に、両側板２０ｂ，２０ｂの夫々外側面先端側に係合突片２１を突設し、この板バネ２０の両側板２０ｂ，２０ｂを圧縮させた状態で取付部材１６の両側板１６ａ，１６ａ間に介在させて、両係合突片２１を取付部材１６の両側板１６ａ，１６ａの貫通孔２３に貫通させると共に、両係合突片２１，２１の先端部２１ａ，２１ａを回動部材１８のコ形本体１８ｏの両側板１８ａ，１８ａに設けたロック孔２２Ａ，２２Ｂに係合させ、板バネ２０の両側板２０ｂ，２０ｂの夫々基端部側を枢軸２８に挿通支持させてなることを特徴とする。
【００１０】
請求項６は、請求項３又は４に記載の安全手摺において、ロック手段１９は第１バネ３１と第２バネ３２とからなるバネ２０を有し、第１バネ３１は基板部３１ａの両端部から両側板３１ｂ，３１ｂを末広がり状に延出した台形枠状の幅広板バネからなり、第２バネ３２は、基板部３２ａの両端部から両側板３２ｂ，３２ｂを末広がり状に延出した台形枠状の幅狭板バネからなるもので、両側板３２ｂ，３２ｂの夫々先端側に外側方へ突出する係合突片２１，２１を一体形成し、第１バネ３１に第２バネ３２を、第２バネ３２の両側板３２ｂ，３２ｂが第１バネ３１の両側板３１ｂ，３１ｂを横方向から挟み付けるように嵌合した状態で、両バネ３１，３２を取付部材１６の両側板１６ａ，１６ａ間に配置して、第２バネ３２の両係合突片２１，２１を取付部材１６の両側板１６ａ，１６ａの貫通孔２４，２４に貫通させると共に、両係合突片２１，２１の先端部２１ａ，２１ａを回動部材１８のコ形本体１８ｏの両側板１８ａ，１８ａに設けたロック孔２２Ａ，２２Ａに係合させ、それにより第１バネ３１及び第２バネ３２を夫々両側板３１ｂ，３１ｂ、３２ｂ，３２ｂが平行になるように圧縮させた状態で第１バネ３１の両側板３１ｂ，３１ｂの夫々先端部を枢軸２８に挿通支持させてなることを特徴とする。
【発明の効果】
【００１１】
上記解決手段による発明の効果を、後述する実施形態の参照符号を付して説明すると、請求項１に係る発明によれば、手摺本体７に取り付けてある上下各固定金具８，９を収納位置及び固定位置にロックするのに、何も特別な操作を必要とせず、回動部材１８を収納位置にセットすれば、係合突片２１が収納位置用ロック孔２２Ｂに係合して、回動部材１８は収納位置に自動的にロックされ、そして回動部材１８を固定位置にセットすれば、係合突片２１が固定位置用ロック孔２２Ａに係合して、回動部材１８は固定位置にロックされるから、作業者はロック作業の手間が省け、足場組立作業の能率が向上する。
【００１２】
請求項２に係る発明によれば、回動部材１８には脚柱係合部１７と反対側の端部に、縦枠係合部２５が設けてあるから、固定位置において回動部材１８を一端側の脚柱係合部１７と他端側の縦枠係合部２５の両係合部によって安定状態に固定させることができる。
【００１３】
請求項３に係る発明によれば、上下各固定金具８，９を簡単な構造でコンパクトに構成できて、頑強な構造にすることができると共に、その製作が容易となる。
【００１４】
請求項４に係る発明によれば、コ形本体１８ｏの両側板１８ａ，１８ａの一端部側に脚柱係合部１７を、その他端部側に縦枠係合部２５を形成した上下各固定金具８，９を簡単な構造でコンパクトに構成できて、頑強な構造にすることができると共に、その製作が容易となる。
【００１５】
請求項５に係る発明によれば、ロック手段１９は、部材点数が少なく、構造簡単にして製作が容易となる。また、このロック手段１９にあっては、例えば収納位置にロックされている回動部材１８の一端部を作業者が手作業で固定位置側へ回転させると、収納位置用ロック孔２２Ｂに係合している係合突片２１の先端テーパ部２１ａが、バネ２０の付勢力に抗して固定位置用ロック孔２２Ａから離脱して回動部材１８の側板１８ａの内側面に乗り上げ、しかして回動部材１８の一端部を更に叩いて回動部材１８を固定位置まで回動させることにより、回動部材１８の脚柱係合部１７が建枠４の脚柱１に係合すると同時に、縦枠係合部２５が手摺本体７の縦枠１１に係合し、同時にまた係合突片２１の先端テーパ部２１ａが固定位置用ロック孔２２Ａに係合し、これによって回動部材１８は固定位置に安定状態で確実にロックされることになる。
【００１６】
請求項６に係る発明によれば、上記した請求項１に係る発明の効果に加え、ロック手段１９のバネ２０を幅広板バネからなる第１バネ３１と幅狭板バネからなる第２バネ３２との二つのバネで構成しているため、ロック孔２２Ａ，２２Ｂに対する係合突片２１の係脱動作を的確に行わせることができ、それによって回動部材１８を固定位置により正確にロックすることができる。
【発明を実施するための最良の形態】
【００１７】
以下に本発明の好適な実施形態を図面に基づいて説明すると、図１の(a) 及び(b) は本発明に係る安全手摺Ｔ１の取付方法を示す説明斜視図であり、図２の(a) は同安全手摺Ｔ１の正面図、(b) は側面図である。枠組足場は、図１に示すように、両側一対の脚柱１，１と両脚柱１，１の上端部をつなぐ横架材２と補強枠３とからなる門形の建枠４を、一定間隔に対向配置し、両建枠４，４の対向する横架材２，２間に足場板６を架け渡すと共に、両脚柱１，１間に一対のブレース５，５をＸ形に架け渡しながら順次多段状に組み立てられるようになっている。
【００１８】
この枠組足場に取り付けられる本発明の安全手摺Ｔ１は、図２から分かるように、左右の縦枠１１，１１、上下の横枠１２，１３、横中桟１４及び縦中桟１５、１５によって一体的に形成され、両建枠４，４の対向する脚柱１，１間に配置される手摺本体７と、この手摺本体７の各縦枠１１の中間部に取り付けられ、建枠４の横架材２に掛止される位置決め用のフック１０と、手摺本体７の各縦枠１１，１２の下端部に取り付けられ、手摺本体７を建枠４の脚柱１の上部側に固定する下部固定金具８と、同手摺本体７を上段側建枠４の脚柱１の下部側に固定する上部固定金具９と、から構成される。
【００１９】
また図１及び図２から分かるように、手摺本体７の左側の縦枠１１に取り付けられる下部固定金具８と、右側の縦枠１１に取り付けられる下部固定金具８とは、連続スパン設置時において隣合う手摺本体７の下部固定金具８，８どうしが干渉しないように、互いに上下にずらして取り付けられている。上部固定金具９についても同様である。また、各位置決め用フック１０は、手摺本体７の各縦枠１１の高さ方向中間位置（真ん中位置）より下方に取り付けられている。
【００２０】
下部固定金具８と上部固定金具９とは同じ構造であって、その詳細構造を図３〜図７に示す。図３の(a) は固定金具８，９が固定位置にある時の正面図、(b) は平面図であり、図４の(a) 〜(c) は固定金具８，９が収納位置から固定位置へと姿勢変更する状態を示す説明図である。また図５の(a) は固定金具８，９の取付部材を示す正面図、(b) は平面図、(c) は側面図であり、図６の(a) は固定金具８，９の回動部材を示す正面図、(b) は平面図、(c) は底面図であり、図７の(a) は図３の(a) のＸ−Ｘ線拡大断面図、(b) は板バネの正面図、(b) は側面図である。
【００２１】
図３〜図７を参照すると、各固定金具８，９は、手摺本体７の縦枠１１に固着された取付部材１６と、建枠４の脚柱１に係脱自在に係合する脚柱係合部１７を一端部に有し、脚柱係合部１７が脚柱１に係合する固定位置と脚柱係合部１７が脚柱１から離脱して手摺本体７の縦枠１１に沿うように折り畳み収納される収納位置との間で回動可能に取付部材１６に枢軸２８によって枢着された回動部材１８と、この回動部材１８を固定位置及び収納位置にロックするロック手段１９とによって構成される。また、回動部材１８の他端部、即ち脚柱係合部１７と反対側の端部に、固定位置において手摺本体７の縦枠１１に係合し、収納位置において手摺本体７の縦枠１１から離脱する縦枠係合部２５が設けてある。
【００２２】
各固定金具８，９のロック手段１９は、取付部材１６と回動部材１８との互いの摺接面部の一方側に係合突片２１をバネ２０によって他方の摺接面部側に弾接するように設けると共に、他方の摺接面部側に、回動部材１８が回動して固定位置及び収納位置に来た時に係合突片２１が係合して回動部材１８を固定位置及び収納位置に夫々ロックする固定位置用ロック孔２２Ａと収納位置用ロック孔２２Ｂとを設けたものからなる。
【００２３】
上記固定金具８，９の構造について更に詳しく説明すれば、取付部材１６は、図５に示すように、両側板１６ａ，１６ａとこれらをつなぐ連結板１６ｂとにより下向きコ字状に形成されたもので、両側板１６ａ，１６ａの一端側が建枠４の各縦枠１１に溶接して固着され、そして両側板１６ａ，１６ａの夫々先端部には下部側に枢軸挿通孔２３が、上部側に貫通孔２４が設けられている。
【００２４】
回動部材１８は、図６に示すように、両側板１８ａ，１８ａと背板１８ｂとでコ形本体１８ｏを形成すると共に、その両側板１８ａ，１８ａの一端部側を延長して略ハの形に拡開することによって前記脚柱係合部１７を形成し、またコ形本体１８ｏの、脚柱係合部１７と反対側の端部には手摺本体７の縦枠１１に係合する円弧状凹部からなる前記縦枠係合部２５を形成してなるもので、コ形本体１８ｏの両側板１８ａ，１８ａには夫々の中央部に枢軸挿通孔２６が設けられ、この枢軸挿通孔２６を中心とする一定半径上の夫々所定位置に固定位置用ロック孔２２Ａと収納位置用ロック孔２２Ｂとが９０°の角度間隔で設けられている。
【００２５】
バネ２０は、図７の(b) 及び(c) に示すように、基板部２０ａの両端部から両側板２０ｂ，２０ｂを末広がり状に延出して台形枠状の板バネを形成したもので、両側板２０ｂ，２０ｂの夫々外側面先端側に、先端部２１ａ，２１ａを先細テーパに形成した係合突片２１，２１が夫々突設され、そして両側板２０ｂ，２０ｂの夫々基板部２０ａ寄りの位置に枢軸挿通孔２７が設けられている。尚、この板バネ２０は、両側板２０ｂ，２０ｂを両側から圧縮して平行状態にした時の外側面間の間隔が取付部材１６の両側板１６ａ，１６ａの内側面間の間隔よりも僅かに狭くなるように形成される（図７の(a) 参照）。尚、係合突片２１の先端部２１ａは半球状に形成してもよい。
【００２６】
また図７の(a) から分かるように、バネ２０の係合突片２１は、その先端部のテーパ部２１ａのみが回動部材１８側の固定位置用ロック孔２２Ａ及び収納位置用ロック孔２２Ｂに係脱自在に係合するようになっており、またこれらのロック孔２２Ａ，２２Ｂから夫々内側へ抜け出ると、テーパ部２１ａの先端が回動部材１８の側板１８ａの内側面部（摺接面部）に弾接するようになっている。要するに、係合突片２１は、回動部材１８の側板１８ａのロック孔２２Ａ，２２Ｂに対し係脱すると共に、側板１８ａの内側面部に対し弾接するだけで、係合突片２１自体は移動せず、常に取付部材１６側の定位置に配置されているものである。
【００２７】
上記固定金具８，９を組み立てるには、図７の(a) から分かるように、先ず、台形枠状に形成された板バネ２０の両側板２０ｂ，２０ｂを両側から押えて圧縮した状態で、手摺本体７の縦枠１１に固着された取付部材１６の両側板１６ａ，１６ａ間に介在させて、両係合突片２１，２１を取付部材１６の両側板１６ａ，１６ａの貫通孔２４，２４に貫通させると共に、両係合突片２１，２１の先細テーパ部２１ａ，２１ａを、回動部材１８のコ形本体１８ｏの両側板１８ａ，１８ａに設けられた例えば固定位置用ロック孔２２Ａ，２２Ａに係合させた状態とする。
【００２８】
しかして、台形枠状板バネ２０の両側板２０ｂ，２０ｂに設けられた枢軸挿通孔２７，２７と、取付部材１６の両側板１６ａ，１６ａに設けられた枢軸挿通孔２３，２３と、回動部材１８の両側板１８ａ，１８ａに設けられた枢軸挿通孔２６，２６とを同軸に位置させて、これらの枢軸挿通孔にボルトからなる枢軸２８を挿通し、そのボルトの挿通端部にナット２９を螺合することにより、固定金具８，９の組立が完了し、図３の(a) ，(b) 及び図７の(a) に示すような状態となる。
【００２９】
図４の(a) は、上記のように板バネ２０を介して取付部材１６側に取り付けられた係合突片２１が回動部材１８側の収納位置用ロック孔２２Ｂに係合して、回動部材１８を収納位置にロックした状態を示す。この収納位置では回動部材１８の長手方向が手摺本体７の縦枠１１の長手方向と平行になり、回動部材１８の上端部の脚柱係合部１７が上向きとなり、その下端部の縦枠係合部２５が下向きとなる。
【００３０】
図４の(a) に示すような収納位置にある回動部材１８の上端部である脚柱係合部１７の右側面部を、作業者が手持ちの工具、例えばハンマーやシノウなどでコンコンと叩いて、回転力を与えると、回動部材１８側の収納位置用ロック孔２２Ｂに係合している係合突片２１の先端テーパ部２１ａが、そのテーパの楔作用により板バネ２０の付勢力に抗して収納位置用ロック孔２２Ｂから離脱して回動部材１８の側板１８ａの内側面（摺接面部）に乗り上げて、この側板１８ａの内側面に弾接した状態で、回動部材１８は同図の(b) に示すように半時計回りに回動する。
【００３１】
しかして、回動部材１８の上端部を更に叩いて回動部材１８を図４の(a) に示す収納位置から９０°回動させることにより、回動部材１８の脚柱係合部１７が建枠４の脚柱１に係合すると同時に、縦枠係合部２５が手摺本体７の縦枠１１に係合し、同時にまた係合突片２１の先端テーパ部２１ａが回動部材１８の固定位置用ロック孔２２Ａに係合し、これにより回動部材１８は収納位置から固定位置に位置変更されると同時に固定位置にロックされて、同図の(c) に示すような状態となる。
【００３２】
上記のように構成される安全手摺Ｔ１の使用方法について説明するならば、先ず、図１の(a) に示すように、一対の建枠４，４を対向配置し、両建枠４，４の対向する脚柱１，１間にブレース５，５をＸ状に掛張した後、両建枠４，４に安全手摺Ｔ１を取り付け、その後に両建枠４，４の対向する横架材２，２に足場板６を架け渡し、１段目足場を組み立てる。
【００３３】
この安全手摺Ｔ１の取付けにあたっては、下部固定金具８及び上部固定金具９を何れも、図４の(a) に示すように回動部材１８を手摺本体７の縦枠１１に沿って折り畳んだ収納位置にセットして、ロック手段１９によりロックしておく。この回動部材１８を収納位置にロックするには、前述したように、何も特別な操作を必要とせず、回動部材１８を図４の(a) に示すような収納位置にセットすれば、取付部材１６側の係合突片２１が回動部材１８側の収納位置用ロック孔２２Ｂに係合して、収納位置に自動的にロックされる。こうして上下各固定金具８，９の回動部材１８を収納位置にロックした状態で、手摺本体７の両側の位置決め用フック１０，１０を、図１の(a) 及び図２に示すように両建枠４，４の対向する横架材２，２に引っ掛けて、手摺本体７の位置を決定する。
【００３４】
上記のようにして位置決め用フック１０，１０を両建枠４，４の対向する横架材２，２に引っ掛けて位置決めしたならば、収納位置にあった各下部固定金具８の回動部材１８を固定位置へ回動操作して、回動部材１８の一端部の脚柱係合部１７を建枠４の脚柱１に係合させると共に、他端部の縦枠係合部２５を手摺本体７の縦枠１１に係合し、同時にまたロック手段１９によって回動部材１８を固定位置にロックし、これによって各下部固定金具８を１段目足場用建枠４の脚柱１に固定する。
【００３５】
次に、図１の(a) に示すような１段目足場の足場板１に昇って、１段目側建枠４，４に２段目側の建枠４，４を夫々継ぎ足し、そして未だ固定していなかった安全手摺Ｔ１の上部固定金具９，９を、上述した下部固定金具８の場合と同様な方法で２段目側建枠４，４の脚柱１に固定し、この２段側建枠４，４の対向する脚柱１，１間にブレース５，５をＸ状に掛張して、図１の(b) に示すような状態とする。この２段目足場の組立作業は、１段目足場の足場板６上で行なうことになるが、この２段目足場には、下部固定金具８によって建枠４の脚柱１の上部側に固定した安全手摺Ｔ１の上側半分以上が足場板６より上方に突出しているから、作業を安全に行なうことができる。しかも、この場合、安全手摺Ｔ１の手摺本体７は、上下の固定金具８，９により、１段目足場の建枠４，４と２段目足場の建枠４，４とに亘って確実強固に固定されることになる。
【００３６】
そして、この２段目足場には、両建枠４，４の対向する横架材２，２に足場板６を架け渡した後、両建枠４，４に安全手摺Ｔ１を上述した１段目の場合と同様にして取り付ける。以降は、上記同様な方法によって安全手摺Ｔ１を設置しながら、多段状に足場を組み上げてゆく。
【００３７】
尚、この実施形態では、図面の表示が複雑になる関係上、両側一対の建枠４，４に足場板６を架け渡した最小限の足場を図示すると共に、この足場の手前側にのみ安全手摺Ｔ１を設置した状態を示しているが、実際には、足場は水平方向に連続スパンで連設され、また安全手摺Ｔ１は各足場の手前側と奥側の両側に設置されるものである。
【００３８】
また、安全手摺Ｔ１は、上述のように下段側建枠４の横架材２，２間に足場板１を掛け渡した後、その下段側建枠４の上に上段側建枠４を継ぎ足して上段側足場を組み立てる際、その組立作業に先行して、その下段側建枠４と上段側建枠４とに亘って取り付けるものであるが、上段側足場の組立が終わって、先行手摺としての役割を果たした後は、その安全手摺Ｔ１を取り外し、その段の建枠４とその上の段の建枠４とに亘って付け替えるようにしてもよいし、あるいはそのように付け替えることなく、順次組み立てる足場とその上段側の建枠４とにそのまま付け置きするようにしてもよい。
【００３９】
安全手摺Ｔ１を付け替える場合に上下各固定金具８，９を建枠４から取り外す時は、図４の(a) 〜(c) を参照すれば分かるように、建枠４への取付時と逆の操作を行えばよい。即ち、図４の(c) は、固定金具８，９の回動部材１８が固定位置にロックされている状態を示しているが、この状態から回動部材１８の脚柱係合部１７側端部の下側を手作業で上向きに押動すると、回動部材１８は固定位置でのロックを解除されて同図の(b) に示すような状態に回動し、更に押動することによって同図の(a) に示すように、回動部材１８を収納位置に回動させてロックすることができる。
【００４０】
以上説明した実施形態の安全手摺Ｔ１によれば、手摺本体７に取り付けてある上下各固定金具８，９を収納位置及び固定位置にロックするのに、何も特別な操作を必要とせず、回動部材１８を収納位置又は固定位置に夫々セットすれば、取付部材１６側の係合突片２１が回動部材１８側の収納位置用ロック孔２２Ｂ又は固定位置用ロック孔２２Ａに係合して、回動部材１８が収納位置又は固定位置に自動的にロックされるから、ロック作業の手間が省け、足場を組み立てる作業の能率が向上する。
【００４１】
この場合、各固定金具８，９を収納位置及び固定位置にロックするロック手段１９は、基板部２０ａの両端部から両側板２０ｂ，２０ｂを末広がり状に延出して台形枠状の板バネ２０を形成すると共に、両側板２０ｂ，２０ｂの夫々外側面先端側に、先端部に先細テーパ部２１ａを形成した係合突片２１を突設し、この台形枠状板バネ２０の両側板２０ｂ，２０ｂを圧縮させた状態で取付部材１６の両側板１６ａ，１６ａ間に介在させて、両係合突片２１を取付部材１６の両側板１６ａ，１６ａの貫通孔２３に貫通させると共に、両係合突片２１，２１の先端テーパ部２１ａ，２１ａを回動部材１８のコ形本体１８ｏの両側板１８ａ，１８ａに設けたロック孔２２Ａ，２２Ｂに係合させ、台形状板バネ２０の両側板２０ｂ，２０ｂの夫々基端部側を枢軸２８に挿通支持させてなるものであるから、例えば図４の(a) に示すように収納位置にロックされている回動部材１８の上端部を、手作業で固定位置側へ回転させると、回動部材１８側の収納位置用ロック孔２２Ｂに係合している係合突片２１の先端テーパ部２１ａが、板バネ２０の付勢力に抗して固定位置用ロック孔２２Ａから離脱して回動部材１８の側板１８ａの内側面に乗り上げ、この内側面に弾接した状態で、回動部材１８が図４の(b) のように回動し、しかして回動部材１８の上端部を更に叩いて回動部材１８を収納位置から９０°回動させることにより、回動部材１８の脚柱係合部１７が建枠４の脚柱１に係合すると同時に、縦枠係合部２５が手摺本体７の縦枠１１に係合し、同時にまた係合突片２１の先端テーパ部２１ａが固定位置用ロック孔２２Ａに係合し、これにより回動部材１８は同図の(c) に示すように収納位置から固定位置に位置変更されると同時に固定位置に確実にロックされる。
【００４２】
この実施形態では、係合突片２１を取付部材１６側に設け、固定位置用ロック孔２２Ａ及び収納位置用ロック孔２２Ｂを回動部材１８側に設けているが、係合突片２１を回動部材１８側に設け、両ロック孔２２Ａ，２２Ｂを取付部材１６側に設けてもよい。
【００４３】
このロック手段１９としては、取付部材１６と回動部材１８との互いの摺接面部の何れか一方側に、係合突片２１をバネ２０によって他方の摺接面部側に弾接するように設け、他方の摺接面部側には、回動部材１８が回動して固定位置及び収納位置に来た時に係合突片２１が係脱自在に係合して、回動部材１８を固定位置及び収納位置に夫々ロックするロック孔２２Ａ，２２Ｂを設けたものであれば，上記実施形態の構造に限らず、どのような構造でもよい。但し、上記実施形態のような構造にすれば、部材点数が少なく、構造が簡単で製作が容易となる。
【００４４】
図８の(a) は本発明の他の実施形態による安全手摺Ｔ２を示す。この安全手摺Ｔ２は、固定金具８，９の構造が上述した安全手摺Ｔ１と多少異なるだけで、安全手摺Ｔ１と殆ど同様である。
【００４５】
即ち、この安全手摺Ｔ２は、左右の縦枠１１，１１、上下の横枠１２，１３、横中桟１４及び縦中桟１５、１５によって形成され、両建枠４，４の対向する脚柱１，１間に配置される手摺本体７と、この手摺本体７の各縦枠１１の中間部に取り付けられ、建枠４の横架材２に掛止される位置決め用のフック１０と、手摺本体７の各縦枠１１，１２の下端部に取り付けられ、手摺本体７を建枠４の脚柱１の上部側に固定する下部固定金具８と、同手摺本体７を上段側建枠４の脚柱１の下部側に固定する上部固定金具９と、から構成される。安全手摺Ｔ１では手摺本体７の左右の縦枠１１，１１と上横枠１２とが個別のパイプ材で形成されているのに対し、この安全手摺Ｔ２の手摺本体７は、左右の縦枠１１，１１と上横枠１２とが１本のパイプ材で形成されている。
【００４６】
フック１０は、縦枠１１に取り付けられた取付アーム１０ａの先端部下側に、建枠４の横架材２に上方より嵌合掛止するフック部１０ｂを有し、また取付アーム１０ａの先端部上側には、安全手摺Ｔ２の取り付け又は取り外し時にこの安全手摺Ｔを逆様にした状態で建枠４の横架材２に嵌合係止するフック部１０ｃが形成されている。
【００４７】
下部固定金具８と上部固定金具９は同じ構造で、その詳細構造を図９〜図１３に示す。図９の(a) は固定金具８，９が固定位置にある時の正面図、(b) は平面図、(c) は固定金具８，９が収納位置にある時の正面図、(d) はロック手段１９のバネ２０（第１バネ３１と第２バネ３２）を示す斜視図である。図１０の(a) は固定金具８，９の取付部材を示す正面図、(b) は平面図、(c) は側面図であり、図１１の(a) は固定金具８，９の回動部材を示す正面図、(b) は平面図である。
【００４８】
図９を参照すると、各固定金具８，９は、手摺本体７の縦枠１１に固着された取付部材１６と、建枠４の脚柱１に係脱自在に係合する脚柱係合部１７を一端部に有し、脚柱係合部１７が脚柱１に係合する固定位置と脚柱係合部１７が脚柱１から離脱して手摺本体７の縦枠１１に沿うように折り畳み収納される収納位置との間で回動可能に取付部材１６に枢軸２８によって枢着された回動部材１８と、この回動部材１８を固定位置及び収納位置にロックするロック手段１９とによって構成される。回動部材１８の他端部、即ち脚柱係合部１７と反対側の端部には、固定位置において手摺本体７の縦枠１１に係合し、収納位置において手摺本体７の縦枠１１から離脱する縦枠係合部２５が設けてある。
【００４９】
各固定金具８，９のロック手段１９は、取付部材１６と回動部材１８との互いの摺接面部の一方側に係合突片２１をバネ２０によって他方の摺接面部側に弾接するように設けると共に、他方の摺接面部側に、回動部材１８が回動して固定位置及び収納位置に来た時に係合突片２１が係合して回動部材１８を固定位置及び収納位置に夫々ロックする固定位置用ロック孔２２Ａと収納位置用ロック孔２２Ｂとを設けたものからなる。
【００５０】
上記固定金具８，９の構造について更に詳しく説明すれば、取付部材１６は、図１０に示すように、両側板１６ａ，１６ａとこれらをつなぐ連結板１６ｂとにより下向きコ字状に形成されたもので、両側板１６ａ，１６ａの一端側が建枠４の各縦枠１１に溶接により固着され、両側板１６ａ，１６ａの夫々先端部には下部側に枢軸挿通孔２３が、上部側に貫通孔２４が設けている。
【００５１】
回動部材１８は、図１１に示すように、両側板１８ａ，１８ａと背板１８ｂとからなるコ形本体１８ｏと、このコ形本体１８ｏの先端部に連設された脚柱係合部１７とによって構成される。図１２はコ形本体１８ｏを示したもので、(a) はコ形本体１８ｏの側面面、(b) は端面図、(c) は底面図であり、これらの図から分かるように、コ形本体１８ｏの両側板１８ａ，１８ａには夫々の中央部に枢軸挿通孔２６が設けられ、この枢軸挿通孔２６を中心とする一定半径上の夫々所定位置に固定位置用ロック孔２２Ａと収納位置用ロック孔２２Ｂとが９０°の角度間隔で設けられている。また、背板１８ｂの後端側に手摺本体７の縦枠１１に係合する円弧状凹部からなる縦枠係合部２５が形成されている。
【００５２】
図１３は脚柱係合部１７を示すもので、(a) は側面図、(b) は平面図、(c) は端面図、(d) は(c) のＹ−Ｙ線断面図である。この脚柱係合部１７は、基端板１７ａと、この基端板１７ａの左右側辺から夫々直角に折曲されて前方へ長く延びる左右側板１７ｂ，１７ｂと、基端板１７ａの上下側辺から夫々直角に折曲されて前方へ短く延びる上下板１７ｃ，１７ｃとからなるもので、左右側板１７ｂ，１７ｂの対向間隔は建枠４の脚柱１の外径より僅かに広く、そして上下板１７ｃ，１７ｃの夫々先端部１７ｏ，１７ｏは脚柱１の外周面に係合する凹型円弧状に形成されている。上記回動部材１８を構成するコ形本体１８ｏと脚柱係合部１７とは、脚柱係合部１７の基端板１７ａをコ形本体１８ｏの先端に当て付けて溶接することにより一体的に接合されて、図１１の(a) 及び(b) に示すような形状となっている。
【００５３】
上記ロック手段１９のバネ２０は第１バネ３１と第２バネ３２とによって構成される。図９の(d) に示すように、第１バネ３１は、基板部３１ａの両端部から両側板３１ｂ，３１ｂを末広がり状に延出した台形枠状の幅広板バネからなるもので、両側板３１ｂ，３１ｂには基板部３１ａから遠い方の端部に夫々枢軸挿通孔２７が設けられている。第２バネ３２は、基板部３２ａの両端部から両側板３２ｂ，３２ｂを末広がり状に延出した台形枠状の幅狭板バネからなるもので、両側板３２ｂ，３２ｂの夫々先端側に、外側方へ突出する係合突片２１，２１がプレス加工により一体形成され、各係合突片２１の先端部は半球状を成している。各係合突片２１は、その先端部の半球状部分２１ａが回動部材１８側の固定位置用ロック孔２２Ａ及び収納位置用ロック孔２２Ｂに係脱自在に係合する。尚、各係合突片２１の先端部は先細テーパ状に形成してもよい。
【００５４】
上記のように構成される固定金具８，９を組み立てるには、先ず、台形枠状の幅広板バネからなる第１バネ３１に、台形枠状の幅狭板バネからなる第２バネ３２を、図９の(d)
に示すように両側板３２ｂ，３２ｂが両側板３１ｂ，３１ｂを横方向から挟み付けるように嵌合し、この状態で両バネ３１，３２を、手摺本体７の縦枠１１に固着された取付部材１６の両側板１６ａ，１６ａ間に配置して、第２バネ３２の両側板３２ｂ，３２ｂにある両係合突片２１，２１を取付部材１６の両側板１６ａ，１６ａの貫通孔２４，２４に貫通させると共に、両係合突片２１，２１の先端半球状部分２１ａ，２１ａを、回動部材１８のコ形本体１８ｏの両側板１８ａ，１８ａに設けられた例えば固定位置用ロック孔２２Ａ，２２Ａに係合させる。これにより、第２バネ３２の両側板３２ｂ，３２ｂが圧縮されて平行に位置し、これに伴って第１バネ３１の両側板３１ｂ，３１ｂも圧縮されて平行に位置する（図９の(b) 参照）。
【００５５】
そして、第１バネ３１の両側板３１ｂ，３１ｂに設けられた枢軸挿通孔２７，２７と、取付部材１６の両側板１６ａ，１６ａに設けられた枢軸挿通孔２３，２３と、回動部材１８の両側板１８ａ，１８ａに設けられた枢軸挿通孔２６，２６とを同軸に位置させて、これらの枢軸挿通孔にボルトからなる枢軸２８を挿通し、そのボルトの挿通端部にナット２９を螺合することにより、固定金具８，９の組立が完了し、図９の(a) 〜(c) に示すような状態となる。尚、第１バネ３１の基板部３１ａは、図９の(a) 及び(c) に示すように、取付部材１６の連結板１６ｂ下面に当接支持される。
【００５６】
図９の(c) は、第１バネ３１及び第２バネ３２を介して取付部材１６側に取り付けられた係合突片２１が回動部材１８側の収納位置用ロック孔２２Ｂに係合して、回動部材１８を収納位置にロックした状態を示す。この収納位置では回動部材１８の長手方向が手摺本体７の縦枠１１の長手方向と平行になり、回動部材１８の後端側の脚柱係合部１７が上向きとなり、その先端側の縦枠係合部２５が下向きとなる。
【００５７】
図９の(c) に示すように収納位置において上向き状態にある回動部材１８の脚柱係合部１７の右側面部を、作業者が手作業で回転力を与えると、回動部材１８側の収納位置用ロック孔２２Ｂに係合している係合突片２１の先端半球状部分２１ａが、第１バネ３１及び第２バネ３２の付勢力に抗して収納位置用ロック孔２２Ｂから離脱して回動部材１８の側板１８ａの内側面（摺接面部）に乗り上げて、この側板１８ａの内側面に弾接した状態で、回動部材１８は図９の(c) に関して半時計回りに回動する。
【００５８】
そして、回動部材１８の上端部を更に叩いて回動部材１８を図９の(c) に示す収納位置から９０°回動させることにより、回動部材１８の脚柱係合部１７が建枠４の脚柱１に係合すると同時に、縦枠係合部２５が手摺本体７の縦枠１１に係合し、同時にまた係合突片２１の先端半球状部分２１ａが回動部材１８の固定位置用ロック孔２２Ａに係合し、これにより回動部材１８は収納位置から固定位置に位置変更されると同時に固定位置にロックされて、図９の(a) に示すような状態となる。
【００５９】
上記のようなロック手段１９によれば、バネ２０を、幅広板バネからなる第１バネ３１と幅狭板バネからなる第２バネ３２との二つのバネによって構成しているから、ロック孔２２Ａ，２２Ｂに対する係合突片２１の係脱動作を的確に行わせることができ、それによって回動部材１８を固定位置により正確にロックすることができる。
【００６０】
上述した安全手摺Ｔ２の設置方法については、先に説明した安全手摺Ｔ１と同様であるため、その説明を省略する。
【図面の簡単な説明】
【００６１】
【図１】(a) 及び(b) は本発明の安全手摺を取付方法を示す説明斜視図である。
【図２】(a) は安全手摺の正面図、(b) は側面図である。
【図３】(a) は固定位置にある上下各固定金具の拡大正面図、(b) は拡大平面図である。
【図４】(a) 〜(c) は上下各固定金具が収納位置から固定位置に位置変更する状態を説明する説明図である。
【図５】各固定金具の取付部材を示すもので、(a) は正面図、(b) は平面図、(c) は側面図である。
【図６】各固定金具の回動部材を示すもので、(a) は正面図、(b) は平面図、(c) は底面図である。
【図７】(a) は図３の(a) のＸ−Ｘ線拡大断面図、(b) は各固定金具内に装備されるバネの正面図、(b) は同バネの側面図である。
【図８】(a) は本発明の他の実施形態による安全手摺を示す正面図、(b) は(a) の矢印イで示す部分の拡大図、(c) は(a) の矢印ロで示す部分の拡大図、(d) は矢印イで示す部分の平面図、(e) 矢印ロで示す部分の平面図である。
【図９】(a) は固定金具が固定位置にある時の正面図、(b) は平面図、(c) は固定金具が収納位置にある時の正面図、(d) はロック手段の第１バネ及び第２バネを示す斜視図である。
【図１０】(a) は固定金具の取付部材を示す正面図、(b) は平面図、(c) は側面図である。
【図１１】(a) は固定金具の回動部材を示す正面図、(b) は平面図である。
【図１２】(a) は回動部材のコ形本体を示す正面図、(b) と底面図、(c) は側面図である。
【図１３】(a) は脚柱係合部の正面図、(b) は平面図、(c) は側面図、(d) は(c) のＹ−Ｙ線断面図である。
【符号の説明】
【００６２】
Ｔ１，Ｔ２    安全手摺
１            脚柱
２            横架材
４            建枠
６            足場板
７            手摺本体
８            下部固定金具
９            上部固定金具
１０          位置決め用のフック
１１          手摺本体の縦枠
１２，１３    手摺本体の上下横枠
１６          固定金具の取付部材
１７          回動部材の脚柱係合部
１８          固定金具の回動部材
１９          固定金具のロック手段
２０          ロック手段のバネ
２１          係合突片
２２Ａ        固定位置用ロック孔
２２Ｂ        収納位置用ロック孔
２５          回動部材の縦枠係合部
２８          回動部材の枢軸
３１          ロック手段の第１バネ
３２          ロック手段の第２バネ
【図１】
2006045910.tif 000003
【図２】
2006045910.tif 000004
【図３】
2006045910.tif 000005
【図４】
2006045910.tif 000006
【図５】
2006045910.tif 000007
【図６】
2006045910.tif 000008
【図７】
2006045910.tif 000009
【図８】
2006045910.tif 000010
【図９】
2006045910.tif 000011
【図１０】
2006045910.tif 000012
【図１１】
2006045910.tif 000013
【図１２】
2006045910.tif 000014
【図１３】
2006045910.tif 000015